(57)【要約】【課題】口腔内に装着することによって運動能力を確実に向上させることができるマウスガードの製造方法を提供すること。【解決手段】マウスガード３の製造方法は、対象者から上下顎の印象を採得し、上下顎の模型を作製する型取り工程と、模型を咬合器に取り付けた状態で、模型における上顎部と下顎部との中心咬合位ＣＴと、上顎部に対して下顎部を左方向に所定距離ずらした左側方偏心咬合位Ｌ１、Ｌ２、Ｌ３と、上顎部に対して下顎部を右方向に所定距離ずらした右側方偏心咬合位Ｒ１、Ｒ２、Ｒ３と、について、それぞれ咬合採得材を用いて咬合状態を採得する咬合採得工程と、咬合状態を採得した複数の咬合採得材について、咬合採得材を咬んだ状態での対象者の運動能力を調査し、高い運動能力を発揮した咬合採得材を選定する咬合選定工程と、高い運動能力を発揮した咬合採得材に基づいてマウスガード３を作製するマウスガード作製工程と、を備える。【選択図】図１０
2019083831.tif 000002
【特許請求の範囲】
【請求項１】
マウスガードを装着する対象者から上下顎の印象を採得し、採得した前記印象に基づいて上下顎の模型を作製する型取り工程と、
前記模型を咬合器に取り付けた状態で、前記模型における上顎部と下顎部との中心咬合位と、前記上顎部に対して前記下顎部を左方向に所定距離ずらした１又は複数の左側方偏心咬合位と、前記上顎部に対して前記下顎部を右方向に所定距離ずらした１又は複数の右側方偏心咬合位と、について、それぞれ咬合採得材を用いて咬合状態を採得する咬合採得工程と、
咬合状態を採得した複数の前記咬合採得材の一部又は全部について、前記咬合採得材を咬んだ状態での前記対象者の運動能力を調査し、高い運動能力を発揮した咬合採得材を選定する咬合選定工程と、
前記高い運動能力を発揮した咬合採得材に基づいてマウスガードを作製するマウスガード作製工程と、を備える、マウスガードの製造方法。
【請求項２】
前記咬合採得工程では、さらに、前記上顎部に対して前記下顎部を前方向に所定距離ずらした１又は複数の前方偏心咬合位について、前記咬合採得材を用いて咬合状態を採得する、請求項１に記載のマウスガードの製造方法。
【請求項３】
複数種類の色をそれぞれ見せた状態で前記対象者の運動能力を調査し、高い運動能力を発揮した色を選定する色調診査工程をさらに備え、前記マウスガード作製工程では、前記高い運動能力を発揮した色に基づいてマウスガードを作製する、請求項１又は２に記載のマウスガードの製造方法。
【発明の詳細な説明】
【技術分野】
【０００１】
本発明は、マウスガードの製造方法に関する。
【背景技術】
【０００２】
従来、接触を伴うスポーツ競技等における口腔内の外傷を防止するためのマウスガードが知られている（例えば、特許文献１参照）。近年は、運動能力（パフォーマンス）を向上させるためにマウスガードを使用するスポーツ競技者も見られる。
【先行技術文献】
【特許文献】
【０００３】
【特許文献１】特開２０１４−１４４９９号公報
【発明の概要】
【発明が解決しようとする課題】
【０００４】
しかしながら、マウスガードの使用による運動能力の向上に関しては、科学的に証明されていないのが現状である。つまり、マウスガードを使用することによって運動能力が向上する場合と向上しない場合とがあり、マウスガードの使用によって必ずしも運動能力が向上するわけではなかった。
【０００５】
本発明は、口腔内に装着することによって運動能力を確実に向上させることができるマウスガードの製造方法を提供する。
【課題を解決するための手段】
【０００６】
本発明の一の態様であるマウスガードの製造方法は、マウスガードを装着する対象者にから上下顎の印象を採得し、採得した印象に基づいて上下顎の模型を作製する型取り工程と、模型を咬合器に取り付けた状態で、模型における上顎部と下顎部との中心咬合位と、上顎部に対して下顎部を左方向に所定距離ずらした１又は複数の左側方偏心咬合位と、上顎部に対して下顎部を右方向に所定距離ずらした１又は複数の右側方偏心咬合位と、について、それぞれ咬合採得材を用いて咬合状態を採得する咬合採得工程と、咬合状態を採得した複数の咬合採得材の一部又は全部について、咬合採得材を咬んだ状態での対象者の運動能力を調査し、高い運動能力を発揮した咬合採得材を選定する咬合選定工程と、高い運動能力を発揮した咬合採得材に基づいてマウスガードを作製するマウスガード作製工程と、を備える。
【０００７】
従来、高い運動能力（パフォーマンス）を発揮できる上下顎の咬合位置（咬合位）は、中心咬合位（最も自然な咬合位）であると考えられていた。そのため、マウスガードも口腔内に装着したときに中心咬合位となるように作製していた。しかしながら、本発明者は、鋭意研究の結果、高い運動能力（パフォーマンス）を発揮できる咬合位は、必ずしも中心咬合位ではなく、例えば上顎に対して下顎が所定方向に所定距離ずれた咬合位等、人それぞれ微妙に異なることを見出した。
【０００８】
上記マウスガードの製造方法によれば、咬合採得工程では、複数の咬合位について咬合状態を採得し、咬合選定工程では、複数の咬合位のうち、高い運動能力を発揮できる咬合位を選定する。その後、マウスガード作製工程では、選定した咬合位、すなわち高い運動能力を発揮できる咬合位に基づいてマウスガードを作製する。これにより、口腔内に装着することによって運動能力（パフォーマンス）を確実に向上させることができるマウスガードが得られる。
【０００９】
マウスガードを装着する対象者は、作製したマウスガードを口腔内に装着することにより、高い運動能力（パフォーマンス）を発揮できる咬合位を安定して維持することができる。すなわち、作製したマウスガードを口腔内に装着することにより、例えばスポーツ競技時に、高い運動能力（パフォーマンス）を確実に安定して発揮できる。
【００１０】
上記マウスガードの製造方法において、咬合採得工程では、さらに、上顎部に対して下顎部を前方向に所定距離ずらした１又は複数の前方偏心咬合位について、咬合採得材を用いて咬合状態を採得するようにしてもよい。この場合には、口腔内に装着することによって運動能力（パフォーマンス）をより一層確実に向上させることができるマウスガードが得られる。
【００１１】
また、複数種類の色をそれぞれ見せた状態で対象者の運動能力を調査し、高い運動能力を発揮した色を選定する色調診査工程をさらに備え、マウスガード作製工程では、高い運動能力を発揮した色に基づいてマウスガードを作製するようにしてもよい。この場合には、口腔内に装着することによって運動能力（パフォーマンス）をより一層発揮することができるマウスガードが得られる。
【図面の簡単な説明】
【００１２】
【図１】上下顎の模型を示す斜視図である。
【図２】上下顎の模型を咬合器に取り付けた状態を示す説明図である。
【図３】バイト材を用いて咬合状態を採得する様子を示す説明図である。
【図４】模型の上顎部と下顎部との中心咬合位を示す説明図である。
【図５】模型の上顎部に対して下顎部を左方向に所定距離ずらした左側方偏心咬合位を示す説明図である。
【図６】模型の上顎部に対して下顎部を右方向に所定距離ずらした右側方偏心咬合位を示す説明図である。
【図７】模型の上顎部に対して下顎部を前方向に所定距離ずらした前方偏心咬合位を示す説明図である。
【図８】複数の咬合位の位置関係を模式的に示した説明図である。
【図９】（Ａ）〜（Ｃ）はマウスガードを作製する様子を示す説明図である。
【図１０】（Ａ）及び（Ｂ）はマウスガードを示す斜視図である。
【発明を実施するための形態】
【００１３】
以下、本発明の実施形態を図面と共に説明する。
本実施形態のマウスガードの製造方法は、型取り工程と、咬合診断工程と、色調診査工程と、マウスガード作製工程と、精密咬合診査工程とを行う。咬合診断工程では、咬合採得工程と、咬合選定工程とを行う。
【００１４】
＜型取り工程＞
まず、マウスガードを装着する対象者に対して印象採得を行う。具体的には、印象材を用いて、対象者の上下顎の歯列及び歯肉形状を採得し、模型作製用の上顎及び下顎の凹型を作製する。本実施形態では、印象材としてアルジネート（アルギン酸）印象材を用いた。印象材としては、例えば、アルジネート（アルギン酸）印象材、シリコーン印象材、寒天印象材等を用いることができる。
【００１５】
作製した上顎及び下顎の凹型に模型材を充填して硬化させる。これにより、図１に示すように、対象者の上顎及び下顎の模型１を作製する。模型１は、上顎部１１と下顎部１２とで構成される。模型１における不要な気泡は十分に取り除く。本実施形態では、模型材として硬質石膏を用いた。模型材としては、例えば、普通石膏、硬質石膏、超硬質石膏等の石膏系模型材、エポキシ等のレジン系模型材、リン酸塩系等の耐火模型材等を用いることができる。
【００１６】
＜咬合診断工程（咬合採得工程）＞
次に、対象者に対してフェイスボウ・トランスファーを行う。具体的には、対象者に対してフェイスボウを装着し、顎関節と上顎の位置関係を記録する。また、対象者の上顎と下顎との中心咬合位について、バイト材（咬合採得材）を用いて咬合状態を採得する（いわゆるチェックバイトを行う）。本実施形態では、バイト材としてシリコーン系バイト材を用いた。バイト材としては、例えば、シリコーン系バイト、ワックス系バイト材等を用いることができる。
【００１７】
そして、図２に示すように、記録した顎関節と上顎の位置関係を咬合器２に移し、中心咬合位の咬合状態を採得したバイト材も用いて、模型１の上顎部１１及び下顎部１２を咬合器２（デナーマークＩＩ咬合器、株式会社ヨシダ製）に取り付ける（マウントする）。これにより、模型１の上顎部１１と下顎部１２との上下前後左右の基準位置を決定する。なお、咬合器としては、各種の咬合器を用いることができる。
【００１８】
次に、図３に示すように、模型１を咬合器２に取り付けた状態で、上顎部１１と下顎部１２との複数の咬合位それぞれについて、バイト材（咬合採得材）Ｂを用いてチェックバイトを行う。本実施形態では、８つの咬合位についてチェックバイトを行う。また、バイト材Ｂとしてシリコーン系バイト材を用いた。
【００１９】
８つの咬合位は、上顎部１１と下顎部１２との中心咬合位ＣＴ、上顎部１１に対して下顎部１２を左方向に約１ｍｍずらした第１左側方偏心咬合位Ｌ１、約２ｍｍずらした第２左側方偏心咬合位Ｌ２、約３ｍｍずらした第３左側方偏心咬合位Ｌ３、上顎部１１に対して下顎部１２を右方向に約１ｍｍずらした第１右側方偏心咬合位Ｒ１、約２ｍｍずらした第２右側方偏心咬合位Ｒ２、約３ｍｍずらした第３右側方偏心咬合位Ｒ３、上顎部１１に対して下顎部１２を前方向に約１ｍｍずらした前方偏心咬合位Ｆ１である。なお、８つの咬合位は、後述の図８において模式的に示す。
【００２０】
具体的には、模型１の上顎部１１と下顎部１２との基準位置から、装着するマウスガードの厚みを考慮して咬合器２の切歯ピン２１の高さを２〜２．５ｍｍ程度上げる。なお、咬頭傾斜の強い場合は２．５ｍｍ程度、弱い場合は２ｍｍ程度とする。これを、上顎部１１と下顎部１２との中心咬合位ＣＴとする。なお、図４は、中心咬合位ＣＴを示す図である。図４の基準線１３は、上顎部１１と下顎部１２との左右方向の基準位置である。そして、中心咬合位ＣＴについて、バイト材Ｂを用いて咬合状態を採得する。
【００２１】
また、中心咬合位ＣＴの状態から、咬合器２の右顆頭球部と関節窩壁部との間に、厚さ約１ｍｍ、約２ｍｍ、約３ｍｍのスペーサ材を挟み、それぞれ第１左側方偏心咬合位Ｌ１、第２左側方偏心咬合位Ｌ２、第３左側方偏心咬合位Ｌ３とする。なお、図５は、中心咬合位ＣＴを基準として、上顎部１１に対して下顎部１２を左方向に所定距離ずらした咬合位を示す図である。そして、第１左側方偏心咬合位Ｌ１、第２左側方偏心咬合位Ｌ２、第３左側方偏心咬合位Ｌ３について、バイト材Ｂを用いて咬合状態を採得する。
【００２２】
また、中心咬合位ＣＴの状態から、咬合器２の左顆頭球部と関節窩壁部との間に、厚さ約１ｍｍ、約２ｍｍ、約３ｍｍのスペーサ材を挟み、それぞれ第１右側方偏心咬合位Ｒ１、第２右側方偏心咬合位Ｒ２、第３右側方偏心咬合位Ｒ３とする。なお、図６は、中心咬合位ＣＴを基準として、上顎部１１に対して下顎部１２を右方向に所定距離ずらした咬合位を示す図である。そして、第１右側方偏心咬合位Ｒ１、第２右側方偏心咬合位Ｒ２、第３右側方偏心咬合位Ｒ３について、バイト材Ｂを用いて咬合状態を採得する。
【００２３】
また、中心咬合位ＣＴの状態から、咬合器２の左顆頭球部と関節窩壁部との間及び右顆頭球部と関節窩壁部との間に、それぞれ厚さ約１ｍｍのスペーサ材を挟み、前方偏心咬合位Ｆ１とする。なお、図７は、中心咬合位ＣＴを基準として、上顎部１１に対して下顎部１２を前方向に所定距離ずらした咬合位を示す図である。図７の基準線１４は、上顎部１１と下顎部１２との前後方向の基準位置である。そして、前方偏心咬合位Ｆ１について、バイト材Ｂを用いて咬合状態を採得する。
【００２４】
これにより、図８に示すような８つの咬合位ＣＴ、Ｌ１、Ｌ２、Ｌ３、Ｒ１、Ｒ２、Ｒ３、Ｆ１について、それぞれ咬合状態を採得した８つのバイト材Ｂ（Ｂ−ＣＴ、Ｂ−Ｌ１、Ｂ−Ｌ２、Ｂ−Ｌ３、Ｂ−Ｒ１、Ｂ−Ｒ２、Ｂ−Ｒ３、Ｂ−Ｆ１）を作製する。
【００２５】
＜咬合診断工程（咬合選定工程）＞
次に、咬合状態を採得した８つのバイト材Ｂ（Ｂ−ＣＴ、Ｂ−Ｌ１、Ｂ−Ｌ２、Ｂ−Ｌ３、Ｂ−Ｒ１、Ｂ−Ｒ２、Ｂ−Ｒ３、Ｂ−Ｆ１）をそれぞれ咬んだ状態で、対象者の運動能力を調査する。
【００２６】
本実施形態では、運動能力の調査として、まずは全身の抵抗力を調査する。具体的には、足を肩幅程度に開いた状態の対象者に対して、対象者の腰骨周辺を左右（横）からゆっくり押すことにより、外部から負荷を掛ける。このとき、対象者は、外部からの負荷に対して押されないように全身の筋肉を使って抵抗するように努める。そして、外部からの負荷に対して動きが少なく、全身の抵抗力が高い一部のバイト材Ｂを選定する。
【００２７】
次に、全身の抵抗力が高かった一部のバイト材Ｂについて、握力、背筋力、垂直飛び、立位体前屈の４種類の運動能力値のうち少なくとも１つを測定する。このとき、バイト材Ｂを咬んでいない状態での運動能力値も測定する。そして、各バイト材Ｂについて、咬んでいる状態と咬んでいない状態の運動能力値（測定値）を比較し、咬んでいない状態と比較して運動能力値が最も向上したバイト材Ｂを１つ選定する。これにより、８つのバイト材Ｂ（Ｂ−ＣＴ、Ｂ−Ｌ１、Ｂ−Ｌ２、Ｂ−Ｌ３、Ｂ−Ｒ１、Ｂ−Ｒ２、Ｂ−Ｒ３、Ｂ−Ｆ１）のうち、高い運動能力を発揮した１つのバイト材Ｂを選定する。
【００２８】
なお、本実施形態では、運動能力の調査として、全身の抵抗力、握力、背筋力、垂直飛び、立位体前屈を挙げたが、これらに限定されるものではない。また、バイト材Ｂの選定は、例えば、複数の運動能力値（測定値）が総合的に高いバイト材Ｂを選定してもよいし、特定の運動能力値を優先したり、複数の運動能力値の中で優先順位を決めたりしてバイト材Ｂを選定してもよい。また、対象者のスポーツ競技に応じてバイト材Ｂの選定方法を変更してもよい。また、バイト材Ｂの選定は、これらの方法に限定されるものではなく、様々な選定方法を採用することができる。
【００２９】
ここで、咬合診断工程の一例を示すと、まず、８つのバイト材Ｂ−ＣＴ、Ｂ−Ｌ１、Ｂ−Ｌ２、Ｂ−Ｌ３、Ｂ−Ｒ１、Ｂ−Ｒ２、Ｂ−Ｒ３、Ｂ−Ｆ１について、全身の抵抗力を調査し、全身の抵抗力が高い７つのバイト材Ｂ−ＣＴ、Ｂ−Ｌ１、Ｂ−Ｌ２、Ｂ−Ｌ３、Ｂ−Ｒ１、Ｂ−Ｒ２、Ｂ−Ｒ３を選定した。
【００３０】
次に、７つのバイト材Ｂ−ＣＴ、Ｂ−Ｌ１、Ｂ−Ｌ２、Ｂ−Ｌ３、Ｂ−Ｒ１、Ｂ−Ｒ２、Ｂ−Ｒ３について、立位体前屈を測定した。また、バイト材Ｂを咬んでいない状態での立位体前屈も測定した。立位体前屈の測定値は、バイト材Ｂを咬んでいない状態：１６．９ｃｍ、バイト材Ｂ−Ｌ２、Ｂ−Ｌ３、Ｂ−Ｒ３：１３．０〜１４．５ｃｍ、バイト材Ｂ−ＣＴ、Ｂ−Ｌ１、Ｂ−Ｒ１：１５．５〜１８．０ｃｍ、バイト材Ｂ−Ｒ２：１９．５ｃｍであった。
【００３１】
以上の結果により、７つのバイト材Ｂ−ＣＴ、Ｂ−Ｌ１、Ｂ−Ｌ２、Ｂ−Ｌ３、Ｂ−Ｒ１、Ｂ−Ｒ２、Ｂ−Ｒ３の中から、バイト材Ｂを咬んでいない状態と比較して運動能力値が最も向上したバイト材Ｂ−Ｒ２（立位体前屈：＋２．６ｃｍ）を選定した。
【００３２】
＜色調診査工程＞
次に、対象者に対して色調診査を行う。具体的には、対象者に足を肩幅程度に開いてもらい、赤、青、黄、緑の４色のシート材をそれぞれ見ながら、対象者の腰骨周辺を左右（横）からゆっくり押すことにより、外部から負荷を掛ける。このとき、対象者は、外部からの負荷に対して押されないように全身の筋肉を使って抵抗するように努める。それぞれの色で外部からの負荷に対して一番動きが少なく、抵抗力の高い色を選択する。これにより、複数種類の色における対象者の運動能力を調査し、高い運動能力を発揮した色を選定する。
【００３３】
なお、本実施形態では、色調診査において、赤、青、黄、緑の４色について運動能力を調査したが、色の種類はこれらに限定されるものではなく、他の色について運動能力を調査するようにしてもよい。また、運動能力の調査として全身の抵抗力を調べたが、これに限定されるものではなく、例えば、握力、背筋力等を測定するようにしてもよい。また、高い運動能力を発揮した色の選定は、これらの方法に限定されるものではなく、様々な選定方法を採用することができる。
【００３４】
＜マウスガード作製工程＞
次に、マウスガードを作製する。本実施形態では、図示を省略したが、吸引成形型のマウスガード成形器（エルコフォーム  ３Ｄ  ｍｏｔｉｏｎ、エルコデント社製）を用いてマウスガードを作製した。
【００３５】
具体的には、マウスガード成形器のモデルポット内に模型１の上顎部１１を固定し、モデルポット内にステンレス製粒弾（ブロックアウト用粒弾）を充填する。また、マウスガード成形器のアームに設けられたモデルプレートに模型１の下顎部１２を固定する。そして、アームを閉じた状態で上顎部１１と下顎部１２とを篏合させ、上顎部１１及び下顎部１２の位置を決定する。このとき、上顎部１１及び下顎部１２の位置は、先ほど選定した高い運動能力を発揮したバイト材Ｂを用いて（バイト材Ｂに採得した咬合状態に基づいて）決定する。
【００３６】
次に、図９（Ａ）〜（Ｃ）に示すように、マウスガード成形用の厚さ４ｍｍのシート材３０を成形する。シート材３０の材質は、熱可塑性を有するＥＶＡ（エチレン酢酸ビニル共重合樹脂）である。シート材３０の材質としては、これに限定されるものではなく、例えば、シリコーン樹脂、酢酸ビニル系樹脂、アクリル樹脂等を用いることができる。
【００３７】
また、シート材３０の色は、先ほど選定した高い運動能力を発揮した色に基づいて決定する。例えば、高い運動能力を発揮した色が赤色であれば、赤色、赤系の色（オレンジ色、ピンク色等）、これらの組み合わせ、これらの色と他の色の組み合わせ等のシート材３０を選定することができる。
【００３８】
シート材３０の成形作業は、マウスガード成形器のアームを開いた状態で、図９（Ａ）に示すように、シート材３０を加熱して軟化させた後、模型１の上顎部１１に被せる。そして、図９（Ｂ）に示すように、シート材３０を真空吸引して成形する。さらに、図９（Ｃ）に示すように、アームを閉じて模型１の下顎部１２をシート材３０に押し当て、圧跡３１（後述の図１０（Ｂ）参照）を付ける。
【００３９】
次に、シート材３０を徐冷して硬化させ、マウスガード成形器のアームを開いてモデルポット内からシート材３０を模型１の上顎部１１ごと取り出す。そして、上顎部１１からシート材３０を取り外す。その後、対象者の口腔にフィットするように、シート材３０を所定の形状にカット、研磨等を行って加工する。これにより、図１０（Ａ）及び（Ｂ）に示すように、マウスガード３を作製する。
【００４０】
なお、マウスガード３は、上顎に装着するタイプのものであるが、これに限定されるものではなく、各種タイプのものを採用することができる。また、マウスガードの作製方法としては、従来公知の様々な作製方法等を採用することができる。また、マウスガード成形器としては、吸引成形型、加圧成形型等の各種マウスガード成形器を用いることができる。
【００４１】
＜精密咬合診査工程＞
次に、対象者に対して精密咬合診査を行う。具体的には、Ｔ−Ｓｃａｎ（ニッタ株式会社製）を使用して、マウスガード３を口腔内に装着した状態での左右の咬合バランスを調整する。咬合バランスの調整は、できるだけ左右の荷重バランスが５０％：５０％に近くなるように、かつ、咬合位となる際の下顎の動きができるだけ小さくなるように調整する。マウスガード３の調整は、研磨等により行う。以上により、マウスガード３の製造を完了する。
【００４２】
次に、本実施形態のマウスガード３の製造方法における作用効果について説明する。
本実施形態のマウスガード３の製造方法によれば、咬合採得工程では、複数の咬合位（本実施形態では８つの咬合位：中心咬合位ＣＴ、左側方偏心咬合位Ｌ１、Ｌ２、Ｌ３、右側方偏心咬合位Ｒ１、Ｒ２、Ｒ３、前方偏心咬合位Ｆ１）について咬合状態を採得し、咬合選定工程では、複数の咬合位のうち、高い運動能力を発揮できる咬合位を選定する。その後、マウスガード作製工程では、選定した咬合位、すなわち高い運動能力を発揮する咬合位に基づいてマウスガード３を作製する。これにより、口腔内に装着することによって運動能力（パフォーマンス）を確実に向上させることができるマウスガード３が得られる。
【００４３】
マウスガード３を装着する対象者は、作製したマウスガード３を口腔内に装着することにより、高い運動能力（パフォーマンス）を発揮できる咬合位を安定して維持することができる。すなわち、作製したマウスガード３を口腔内に装着することにより、例えばスポーツ競技時に、高い運動能力（パフォーマンス）を確実に安定して発揮できる。
【００４４】
本実施形態のマウスガード３の製造方法において、咬合採得工程では、中心咬合位ＣＴ、左側方偏心咬合位Ｌ１、Ｌ２、Ｌ３、右側方偏心咬合位Ｒ１、Ｒ２、Ｒ３に加えて、上顎部１１に対して下顎部１２を前方向に所定距離（本実施形態では約１ｍｍ）ずらした前方偏心咬合位Ｆ１について、バイト材Ｂに咬合状態を採得する。そのため、口腔内に装着することによって運動能力（パフォーマンス）をより一層確実に向上させることができるマウスガード３が得られる。
【００４５】
また、複数種類の色（本実施形態では赤、青、黄、緑の４色）をそれぞれ見せて対象者の運動能力を調査し、高い運動能力を発揮した色を選定する色調診査工程を備え、マウスガード作製工程では、高い運動能力を発揮した色に基づいてマウスガード３を作製する。そのため、口腔内に装着することによって運動能力（パフォーマンス）をより一層発揮することができるマウスガード３が得られる。
【００４６】
（その他の実施形態）
本発明は、上記実施形態に何ら限定されるものではなく、本発明を逸脱しない範囲において種々の態様で実施しうることはいうまでもない。
【００４７】
（１）上記実施形態において、咬合採得工程では、複数の左側方偏心咬合位についてチェックバイト（咬合採得材を用いて咬合状態を採得する）を行ったが、１つの左側方偏心咬合位についてチェックバイトを行うようにしてもよい。また、複数の右側方偏心咬合位についてチェックバイトを行ったが、１つの右側方偏心咬合位についてチェックバイトを行うようにしてもよい。
【００４８】
（２）上記実施形態において、咬合採得工程では、１つの前方偏心咬合位についてチェックバイトを行ったが、複数の前方偏心咬合位についてチェックバイトを行うようにしてもよい。
【００４９】
（３）上記実施形態において、左側方偏心咬合位及び右側方偏心咬合位は、中心咬合位を基準として、上顎部に対して下顎部を１ｍｍ間隔でずらした位置としたが、上顎部に対して下顎部をずらす間隔や距離は自由に設定することができる。前方偏心咬合位についても同様である。
【００５０】
（４）上記実施形態において、咬合採得工程では、前方偏心咬合位についてチェックバイトを行ったが、前方偏心咬合位についてチェックバイトを行わない構成としてもよい。また、模型における上顎部に対して下顎部を後方向に所定距離ずらした後方偏心咬合位については、通常、下顎を後ろに下げると頸動脈の血流量が少なくなり、脳の活性が落ちると言われているため、前方偏心咬合位に比べてチェックバイトを行う優先度は低い。
【００５１】
（５）上記実施形態において、色調診査工程を行ったが、色調診査工程を行わない構成としてもよい。また、精密咬合診査工程を行ったが、精密咬合診査工程を行わない構成としてもよい。
【００５２】
（６）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【００５３】
１…模型、２…咬合器、３…マウスガード、１１…上顎部、１２…下顎部、１３…基準線、１４…基準線、２１…切歯ピン、３０…シート材、３１…圧跡、Ｂ…バイト材（咬合採得材）
【図１】
2019083831.tif 000003
【図２】
2019083831.tif 000004
【図３】
2019083831.tif 000005
【図４】
2019083831.tif 000006
【図５】
2019083831.tif 000007
【図６】
2019083831.tif 000008
【図７】
2019083831.tif 000009
【図８】
2019083831.tif 000010
【図９】
2019083831.tif 000011
【図１０】
2019083831.tif 000012